(57)【要約】【課題】ノイズにより、使用者の意に反して遠隔操作の対象が作動を停止或いは開始することを防止した加熱調理装置を提供する。【解決手段】スイッチ状態検知手段６１により、点火スイッチ６，８，１１，１３の第２の接点３０ｂ，３１ｂ，３２ｂ，３３ｂの一端を相互に接続した入力ラインに生じる点火スイッチ信号ＩＧ_sigの立上り又は立下りが検知されたときに、マイクロコンピュータ６１が停止モードから稼動モードに切り換わる。このとき、直前に送信された信号が停止信号であり、所定周期で２回連続してＩＧ_sigがＨiレベルであると検知されなかったときには、送信制御手段７１はマイクロコンピュータ６１を停止モードに切り換えて開始信号の送信を禁止する。【選択図】  図２
2008209054.tif 000002
【特許請求の範囲】
【請求項１】
所定動作の開始を指示する開始スイッチ及び該所定動作の停止を指示する停止スイッチと受信手段とを有して、該開始スイッチが操作されたとき又は該所定動作の開始を指示する開始信号を受信したときに該所定動作を開始し、該停止スイッチが操作されたとき又は該所定動作の停止を指示する停止信号を受信したときに該所定動作を停止する操作対象に対して、該開始信号及び該停止信号を送信して該操作対象を遠隔操作する加熱調理装置であって、
調理物を加熱する加熱手段と、
該加熱手段の作動を指示する作動指示位置と該加熱手段の停止を指示する停止指示位置とに切り換わり、作動指示位置にあるときに第１の電圧を出力すると共に、停止指示位置にあるときに該第１の電圧と異なる第２の電圧を出力するオルタネート型の切換スイッチと、
該切換スイッチの出力端子と接続され、該出力端子に生じる電圧に基づいて、該切換スイッチが作動指示位置にあるか停止指示位置にあるかを検知するスイッチ状態検知手段と、
前記スイッチ状態検知手段の検知結果に基づいて、前記開始信号及び前記停止信号を送信し、前記スイッチ状態検知手段の検知結果から前記切換スイッチが操作されない状態が所定時間以上継続したことを認識したときに、前記開始信号及び前記停止信号の送信が可能な稼動モードから、前記開始信号及び前記停止信号の送信が不能であって該稼動モードよりも消費電力が少ない停止モードに切り換わる送信手段とを備えた加熱調理装置において、
前記送信手段により前記開始信号又は前記停止信号が送信されたときに、送信された信号が前記開始信号と前記停止信号のいずれであったかを示す送信履歴データを保持するデータ保持手段を備え、
前記送信手段は、前記停止モードにおいて、前記スイッチ状態検知手段により、前記切換スイッチが停止指示位置から開始指示位置に切り換わったこと、又は前記切換スイッチが開始指示位置から停止指示位置に切り換わったことが検知されたときに、前記稼動モードに切り換わり、該稼動モードに切り換わったときに、前記送信履歴データを参照して直前に送信された信号が前記開始信号であるか前記停止信号であるかを認識し、
直前に送信された信号が前記停止信号であり、且つ、前記スイッチ状態検知手段により前記切換スイッチが開始指示位置にあると検知されるときは前記開始信号を送信し、直前に送信された信号が前記開始信号であり、且つ、前記スイッチ状態検知手段により前記切換スイッチが開始指示位置にあると検知されるときには、前記停止モードに切り換わって前記開始信号の送信を禁止することを特徴とする加熱調理装置。
【請求項２】
請求項１記載の加熱調理装置において、
前記送信手段は、前記停止モードにおいて、前記スイッチ状態検知手段により、前記切換スイッチが停止指示位置から開始指示位置に切り換わったこと、又は前記切換スイッチが開始指示位置から停止指示位置に切り換わったことが検知されて、前記稼動モードに切り換わり、該稼動モードに切り換わったときに前記送信履歴データを参照して直前に送信された信号が前記開始信号であるか前記停止信号であるかを認識したときに、
直前に送信された信号が前記開始信号であり、且つ、前記スイッチ状態検知手段により前記切換スイッチが停止指示位置にあると検知されるときは前記停止信号を送信し、直前に送信された信号が前記停止信号であり、且つ、前記スイッチ状態検知手段により前記切換スイッチが停止指示位置にあると検知されるときには、前記停止モードに切り換わって前記停止信号の送信を禁止することを特徴とする加熱調理装置。
【請求項３】
所定動作の開始を指示する開始スイッチ及び該所定動作の停止を指示する停止スイッチと受信手段とを有して、該開始スイッチが操作されたとき又は該所定動作の開始を指示する開始信号を受信したときに該所定動作を開始し、該停止スイッチが操作されたとき又は該所定動作の停止を指示する停止信号を受信したときに該所定動作を停止する操作対象に対して、該開始信号及び該停止信号を送信して該操作対象を遠隔操作する加熱調理装置であって、
調理物を加熱する加熱手段と、
該加熱手段の作動を指示する作動指示位置と該加熱手段の停止を指示する停止指示位置とに切り換わり、作動指示位置にあるときに第１の電圧を出力すると共に、停止指示位置にあるときに該第１の電圧と異なる第２の電圧を出力するオルタネート型の切換スイッチと、
該切換スイッチの出力端子と接続され、該出力端子に生じる電圧に基づいて、該切換スイッチが作動指示位置にあるか停止指示位置にあるかを検知するスイッチ状態検知手段と、
前記スイッチ状態検知手段の検知結果に基づいて、前記開始信号及び前記停止信号を送信し、前記スイッチ状態検知手段の検知結果から前記切換スイッチが操作されない状態が所定時間以上継続したことを認識したときに、前記開始信号及び前記停止信号の送信が可能な稼動モードから、前記開始信号及び前記停止信号の送信が不能であって該稼動モードよりも消費電力が少ない停止モードに切り換わる送信手段とを備えた加熱調理装置において、
前記送信手段により前記開始信号又は前記停止信号が送信されたときに、送信された信号が前記開始信号と前記停止信号のいずれであったかを示す送信履歴データを保持するデータ保持手段を備え、
前記送信手段は、前記停止モードにおいて、前記スイッチ状態検知手段により、前記切換スイッチが停止指示位置から開始指示位置に切り換わったこと、又は前記切換スイッチが開始指示位置から停止指示位置に切り換わったことが検知されたときに、前記稼動モードに切り換わり、該稼動モードに切り換わったときに、前記送信履歴データを参照して直前に送信された信号が前記開始信号であるか前記停止信号であるかを認識し、
直前に送信された信号が前記開始信号であり、且つ、前記スイッチ状態検知手段により前記切換スイッチが停止指示位置にあると検知されるときは前記停止信号を送信し、直前に送信された信号が前記停止信号であり、且つ、前記スイッチ状態検知手段により前記切換スイッチが停止指示位置にあると検知されるときには、前記停止モードに切り換わって前記停止信号の送信を禁止することを特徴とする加熱調理装置。
【請求項４】
請求項１から請求項３のうちいずれか１項記載の加熱調理装置において、
前記操作対象は、換気量を複数段階に切り換える手段と、前記開始スイッチとして、該複数段階のいずれかを選択して換気の開始を指示する風量選択スイッチとを備え、該風量選択スイッチが操作されたとき、又は前記開始信号として、該複数段階のいずれかの風量による換気の開始を指示する信号を受信したときに、該風量選択スイッチ又は該信号に応じた風量で換気を開始する換気装置であり、
前記送信手段は、前記開始信号として、前記複数段階のうちのいずれかの換気量による換気の開始を指示する信号を送信することを特徴とする加熱調理装置。
【発明の詳細な説明】
【技術分野】
【０００１】
本発明は、操作対象を遠隔操作する機能を備えた加熱調理装置に関する。
【背景技術】
【０００２】
従来より、例えば赤外線通信によってガスコンロによる加熱調理の開始に連動して換気扇を作動させ、ガスコンロによる加熱調理の停止に連動して換気扇を停止させるシステムが知られている。このシステムにおいては、ガスコンロ側に赤外線信号の送信部が設けられ、換気扇側に赤外線信号の受信部が設けられている。そして、赤外線信号の送信部をガスコンロの前面に設けて、ガスコンロの送信部から発信された赤外線信号を使用者等に当てて反射させ、反射した赤外線信号を換気扇の受信部で受信して換気扇が作動を開始するようにしたシステムが提案されている（例えば、特許文献１参照）。
【０００３】
ここで、ガスコンロによる加熱調理の開始と停止は、使用者によるオルタネート型の切換スイッチの操作に応じて行われるのが一般的である。そして、該切換スイッチの出力端子にノイズが載る場合があり、この場合には、実際には切換スイッチが操作されていないにも拘らず、切換スイッチが操作されたと誤検知されてガスコンロから換気扇に対して赤外線信号が送信されてしまうことが生じ得る。
【０００４】
一方、換気扇には使用者が換気扇の作動と停止をガスコンロから独立して指示するための開始スイッチ及び停止スイッチが設けられているのが一般的である。そのため、例えば、加熱調理の開始と連動して換気扇が作動を開始した後、使用者が停止スイッチを操作して換気扇を停止させたときに、ノイズによりガスコンロから換気扇に対して換気扇の開始を指示する赤外線信号が送信されて、換気扇が作動を再開することが生じ得る。
【０００５】
そして、この場合には、使用者が停止スイッチを操作して換気扇を停止したにも拘らず、使用者の意に反して換気扇が再び作動を開始してしまうという不都合がある。
【特許文献１】特開２００２-１４７８０６号公報
【発明の開示】
【発明が解決しようとする課題】
【０００６】
本発明は上記背景を鑑みてなされたものであり、ノイズにより、使用者の意に反して遠隔操作の対象が作動を開始或いは停止することを防止した加熱調理装置を提供することを目的とする。
【課題を解決するための手段】
【０００７】
本発明は上記目的を達成するためになされたものであり、所定動作の開始を指示する開始スイッチ及び該所定動作の停止を指示する停止スイッチと受信手段とを有して、該開始スイッチが操作されたとき又は該所定動作の開始を指示する開始信号を受信したときに該所定動作を開始し、該停止スイッチが操作されたとき又は該所定動作の停止を指示する停止信号を受信したときに該所定動作を停止する操作対象に対して、該開始信号及び該停止信号を送信して該操作対象を遠隔操作する加熱調理装置であって、調理物を加熱する加熱手段と、該加熱手段の作動を指示する作動指示位置と該加熱手段の停止を指示する停止指示位置とに切り換わり、作動指示位置にあるときに第１の電圧を出力すると共に、停止指示位置にあるときに該第１の電圧と異なる第２の電圧を出力するオルタネート型の切換スイッチと、該切換スイッチの出力端子と接続され、該出力端子に生じる電圧に基づいて、該切換スイッチが作動指示位置にあるか停止指示位置にあるかを検知するスイッチ状態検知手段と、前記スイッチ状態検知手段の検知結果に基づいて、前記開始信号及び前記停止信号を送信し、前記スイッチ状態検知手段の検知結果から前記切換スイッチが操作されない状態が所定時間以上継続したことを認識したときに、前記開始信号及び前記停止信号の送信が可能な稼動モードから、前記開始信号及び前記停止信号の送信が不能であって該稼動モードよりも消費電力が少ない停止モードに切り換わる送信手段とを備えた加熱調理装置の改良に関する。
【０００８】
そして、本発明の第１の態様は、前記送信手段により前記開始信号又は前記停止信号が送信されたときに、送信された信号が前記開始信号と前記停止信号のいずれであったかを示す送信履歴データを保持するデータ保持手段を備え、前記送信手段は、前記停止モードにおいて、前記スイッチ状態検知手段により、前記切換スイッチが停止指示位置から開始指示位置に切り換わったこと、又は前記切換スイッチが開始指示位置から停止指示位置に切り換わったことが検知されたときに、前記稼動モードに切り換わり、該稼動モードに切り換わったときに、前記送信履歴データを参照して直前に送信された信号が前記開始信号であるか前記停止信号であるかを認識し、直前に送信された信号が前記停止信号であり、且つ、前記スイッチ状態検知手段により前記切換スイッチが開始指示位置にあると検知されるときは前記開始信号を送信し、直前に送信された信号が前記開始信号であり、且つ、前記スイッチ状態検知手段により前記切換スイッチが開始指示位置にあると検知されるときには、前記停止モードに切り換わって前記開始信号の送信を禁止することを特徴とする。
【０００９】
本発明によれば、前記送信手段は、前記スイッチ状態検知手段により、前記切換スイッチが停止指示位置から作動指示位置に切り換わったこと、又は前記切換スイッチが開始指示位置から停止指示位置に切り換わったことが検知されたときに、直ちに前記開始信号或いは前記停止信号を送信せずに、前記送信履歴データを参照して直前に送信された信号が前記開始信号であるか前記停止信号であるかを認識する。
【００１０】
そして、直前に送信された信号が前記停止信号であり、且つ、前記スイッチ状態検知手段により前記切換スイッチが開始指示位置にあると検知されるときは、使用者の操作により前記切換スイッチが停止指示位置から開始指示位置に切り換わったと想定される。そのため、前記送信手段は前記開始信号を送信し、これにより前記操作対象は前記所定動作を開始する。
【００１１】
一方、直前に送信された信号が前記開始信号であり、且つ、前記スイッチ状態検知手段により前記切換スイッチが開始指示位置にあると検知されるときには、前記切換スイッチの出力端子に重畳したノイズにより、瞬間的に前記スイッチ状態検知手段により前記切換スイッチが開始指示位置から停止指示位置に切り換わったと誤検知されて、前記送信手段が前記稼動モードになったと想定される。
【００１２】
そこで、この場合は、前記送信手段は前記停止モードに切り換わって前記開始信号の送信を禁止する。これにより、前記開始信号の送信によって前記操作対象が前記所定動作を開始し、その後、使用者による前記停止スイッチの操作によって前記操作対象が前記所定動作を停止した状態にあるときに、ノイズにより前記開始信号が送信され、使用者の意に反して前記操作対象が前記所定動作を再開することを防止することができる。
【００１３】
また、前記第１の態様において、前記送信手段は、前記停止モードにおいて、前記スイッチ状態検知手段により、前記切換スイッチが停止指示位置から開始指示位置に切り換わったこと、又は前記切換スイッチが開始指示位置から停止指示位置に切り換わったことが検知されて、前記稼動モードに切り換わり、該稼動モードに切り換わったときに前記送信履歴データを参照して直前に送信された信号が前記開始信号であるか前記停止信号であるかを認識したときに、直前に送信された信号が前記開始信号であり、且つ、前記スイッチ状態検知手段により前記切換スイッチが停止指示位置にあると検知されるときは前記停止信号を送信し、直前に送信された信号が前記停止信号であり、且つ、前記スイッチ状態検知手段により前記切換スイッチが停止指示位置にあると検知されるときには、前記停止モードに切り換わって前記停止信号の送信を禁止することを特徴とする。
【００１４】
本発明によれば、直前に送信された信号が前記開始信号であり、且つ、前記スイッチ状態検知手段により前記切換スイッチが停止指示位置にあると検知されるときは、使用者の操作により前記切換スイッチが停止指示位置から開始指示位置に切り換わったと想定される。そのため、前記送信手段は前記停止信号を送信し、これにより前記操作対象は前記所定動作を停止する。
【００１５】
一方、直前に送信された信号が前記停止信号であり、且つ、前記スイッチ状態検知手段により前記切換スイッチが停止指示位置にあると検知されるときには、前記切換スイッチの出力端子に重畳したノイズにより、瞬間的に前記切換スイッチが停止指示位置から開始指示位置に切り換わったと誤検知されて、前記送信手段が前記稼動モードになったと想定される。
【００１６】
そこで、この場合は、前記送信手段は前記停止モードに切り換わって前記停止信号の送信を禁止する。これにより、前記停止信号の送信により前記操作対象が前記所定動作を停止し、その後、使用者による前記開始スイッチの操作によって前記操作対象が前記所定動作を実行しているときに、ノイズにより前記停止信号が送信されて、使用者の意に反して前記操作対象が前記所定動作を停止することを防止することができる。
【００１７】
また、本発明の第２の態様は、前記送信手段により前記開始信号又は前記停止信号が送信されたときに、送信された信号が前記開始信号と前記停止信号のいずれであったかを示す送信履歴データを保持するデータ保持手段を備え、前記送信手段は、前記停止モードにおいて、前記スイッチ状態検知手段により、前記切換スイッチが停止指示位置から開始指示位置に切り換わったこと、又は前記切換スイッチが開始指示位置から停止指示位置に切り換わったことが検知されたときに、前記稼動モードに切り換わり、該稼動モードに切り換わったときに、前記送信履歴データを参照して直前に送信された信号が前記開始信号であるか前記停止信号であるかを認識し、直前に送信された信号が前記開始信号であり、且つ、前記スイッチ状態検知手段により前記切換スイッチが停止指示位置にあると検知されるときは前記停止信号を送信し、直前に送信された信号が前記停止信号であり、且つ、前記スイッチ状態検知手段により前記切換スイッチが停止指示位置にあると検知されるときには、前記停止モードに切り換わって前記停止信号の送信を禁止することを特徴とする。
【００１８】
本発明によれば、前記送信手段は、前記スイッチ状態検知手段により、前記切換スイッチが停止指示位置から作動指示位置に切り換わったこと、又は前記切換スイッチが開始指示位置から停止指示位置に切り換わったことが検知されたときに、直ちに前記開始信号或いは前記停止信号を送信せずに、前記送信履歴データを参照して直前に送信された信号が前記開始信号であるか前記停止信号であるかを認識する。
【００１９】
そして、直前に送信された信号が前記開始信号であり、且つ、前記スイッチ状態検知手段により前記切換スイッチが停止指示位置にあると検知されるときは、使用者の操作により前記切換スイッチが開始指示位置から停止指示位置に切り換わったと想定される。そのため、前記送信手段は前記停止信号を送信し、これにより前記操作対象は前記所定動作を開始する。
【００２０】
一方、直前に送信された信号が前記停止信号であり、且つ、前記スイッチ状態検知手段により前記切換スイッチが停止指示位置にあると検知されるときには、前記切換スイッチの出力端子に重畳したノイズにより、瞬間的に前記スイッチ状態検知手段により前記切換スイッチが停止指示位置から開始指示位置に切り換わったと誤検知されて、前記送信手段が前記稼動モードとなったと想定される。
【００２１】
そこで、この場合は、前記送信手段は前記停止モードに切り換わって前記停止信号の送信を禁止する。これにより、前記開始信号の送信によって前記操作対象が前記所定動作を停止し、その後、使用者による前記開始スイッチの操作によって前記操作対象が前記所定動作を実行しているときに、ノイズにより前記停止信号が送信されて、使用者の意に反して前記操作対象が前記所定動作を停止することを防止することができる。
【００２２】
また、前記第１の態様及び前記第２の態様において、前記操作対象は、換気量を複数段階に切り換える機能を有し、前記開始スイッチとして、該複数段階のいずれかを選択して換気の開始を指示する風量選択スイッチを備え、該風量選択スイッチが操作されたとき、又は前記開始信号として、該複数段階のいずれかの風量による換気の開始を指示する信号を受信したときに、該風量選択スイッチ又は該信号に応じた風量で換気を開始する換気装置であり、前記送信手段は、前記開始信号として、前記複数段階のうちのいずれかの換気量による換気の開始を指示する信号を送信することを特徴とする。
【００２３】
かかる本発明によれば、前記開始信号の送信により、前記換気装置が前記複数段階のうちのいずれかの換気量での換気を開始した後、使用者は前記換気量選択スイッチを操作して換気量を変更することができる。そして、このように換気量が変更された後に、ノイズにより前記切換スイッチが停止指示位置から開始指示位置に切り変わったと誤検知されたときには、前記送信手段により前記開始信号の送信が禁止される。そのため、使用者が前記換気量選択スイッチを操作して前記換気装置の換気量を変更したときに、その後、使用者の意に反して前記換気装置の換気量が変更前の換気量に戻ってしまうことを防止することができる。
【発明を実施するための最良の形態】
【００２４】
本発明の実施の形態について、図１〜図５を参照して説明する。図１は本発明の加熱調理装置であるガスコンロと該ガスコンロにより作動が制御される換気装置の外観図、図２は図１に示したガスコンロの換気連動基板及びその周辺部の構成図、図３，図４は点火スイッチの状態検知及び赤外線信号送信のフローチャート、図５は点火スイッチの状態を検知するタイミングの説明図である。
【００２５】
図１を参照して、ガスコンロ１（本発明の加熱調理装置に相当する）は、天面に第１コンロ２（本発明の加熱手段に相当する）と第２コンロ３（本発明の加熱手段に相当する）と第３コンロ４（本発明の加熱手段に相当する）とを備え、前面にグリル５（本発明の加熱手段に相当する）を備えている。
【００２６】
また、ガスコンロ１の前面には、グリル５の点火/消火を行うためのグリル点火スイッチ６（本発明の切換スイッチに相当する）とグリル５の火力を調節するためのグリル調節レバー７、第１コンロ２の点火/消火を行うための第１コンロ点火スイッチ８（本発明の切換スイッチに相当する）と第１コンロ２の火力を調節するための第１コンロ調節レバー９、後述する換気装置２０（本発明の操作対象に相当する）の作動開始／停止を手動で行うためのリモートスイッチ等が設けられた操作パネル１０、第２コンロ３の点火/消火を行うための第２コンロ点火スイッチ１１（本発明の切換スイッチに相当する）と第２コンロの火力を調節するための第２コンロ調節レバー１２、第３コンロ４の点火/消火を行うための第３コンロ点火スイッチ１３（本発明の切換スイッチに相当する）と第３コンロ４の火力を調節するための第３コンロ調節レバー１４、及び換気装置２０に対して赤外線信号（換気運転の開始を指示する開始信号、及び換気運転の停止を指示する停止信号）を送信するための２個の赤外線信号送信部１５ａ,１５ｂが備えられている。
【００２７】
換気装置２０は、フード２３の内部に設けられたファン２１と、フード２３の前面に配置された操作部２２及び赤外線信号受信部２５とを備えている。そして、換気装置２０は、ガスコンロ１の赤外線信号送信部１５ａ，１５ｂから送信されて使用者の体等に反射した赤外線信号を、赤外線信号受信部２５により受信したときに、ファン２１の作動を開始又は停止する。また、換気装置２０は、操作部２２に備えられたスイッチの操作に応じて、ファン２１の作動を開始又は停止する。
【００２８】
次に、図２を参照して、グリル点火スイッチ６、第１コンロ点火スイッチ８、第２コンロ点火スイッチ１１、及び第３コンロ点火スイッチ１３のうちのいずれかの操作に応じてガスコンロ１から換気装置２０に赤外線信号をすることにより、ガスコンロ１の加熱調理運転と連動して換気装置２０の作動を開始又は停止する構成について説明する。
【００２９】
ガスコンロ１は、制御基板５０と換気連動基板６０とを備えている。制御基板５０及び換気連動基板６０は、マイクロコンピュータやメモリ等により構成される電子ユニットである。
【００３０】
グリル点火スイッチ６、第１コンロ点火スイッチ８、第２コンロ点火スイッチ１１、及び第３コンロ点火スイッチ１３は、いずれも２接点を有するオルタネート型のスイッチであり、使用者の押圧操作により、作動指示位置と停止指示位置とに切り換わる。
【００３１】
例えば、グリル点火スイッチ６では、使用者がグリル点火スイッチ６を押圧操作してグリル点火スイッチ６が作動指示位置になると、第１の接点３０ａ及び第２の接点３０ｂが共にＯＮ（短絡状態）となる。また、使用者がグリル点火スイッチ６を押圧操作してグリル点火スイッチ６が停止指示位置になると、第１の接点３０ａ及び第２の接点３０ｂが共にＯＦＦ（開放状態）となる。第１コンロ点火スイッチ８、第２コンロ点火スイッチ１１、及び第３コンロ点火スイッチ１３についても同様である。
【００３２】
制御基板５０には、グリル点火スイッチ６の第１の接点３０ａ、第１コンロ点火スイッチ８の第１の接点３１ａ、第２コンロ点火スイッチ１１の第１の接点３２ａ、及び第３コンロ点火スイッチ１３の第１の接点３３ａが接続されている。そして、制御基板５０に備えられた加熱制御手段５１は、これらの接点の状態を検知して、グリル５、第１コンロ２、第２コンロ３、第３コンロ４の点火と消火の処理を行う。
【００３３】
例えば、加熱制御手段５１は、グリル点火スイッチ６の第１の接点３０ａがＯＦＦからＯＮに切り換わったことを検知したときに、グリルバーナ（図示しない）の点火処理を行ってグリル５による加熱調理を開始する。また、グリル点火スイッチ６の第１の接点３０ａがＯＮからＯＦＦに切り換わったときに、グリルバーナの消火処理を行ってグリル５による加熱調理を停止する。第１コンロ点火スイッチ８、第２コンロ点火スイッチ１１、第３コンロ点火スイッチ１３についても同様である。
【００３４】
次に、グリル点火スイッチ６の第２の接点３０ｂ、第１コンロ点火スイッチ８の第２の接点３１ｂ、第２コンロ点火スイッチ１１の第２の接点３２ｂ、第３コンロ点火スイッチ１３の第２の接点３３ｂの一端は電源ラインに接続され、他端は相互に接続された上で換気連動基板６０に接続されている。
【００３５】
また、操作パネル１０に備えられた換気強スイッチの接点４０、換気弱スイッチの接点４１、及び換気停止スイッチの接点４２の一端が電源ラインに接続され、他端が換気連動基板６０に接続されている。なお、相互に接続されたグリル点火スイッチ６の第２の接点３０ｂ、第１コンロ点火スイッチ８の第２の接点３１ｂ、第２コンロ点火スイッチ１１の第２の接点３２ｂ、第３コンロ点火スイッチ１３の第２の接点３３ｂの一端と、及び操作パネル１０に備えられた換気強スイッチの接点４０、換気弱スイッチの接点４１、及び換気停止スイッチの接点４２の一端のマイクロコンピュータ６１への入力は、割り込み入力に設定されている。
【００３６】
換気連動基板６０は、マイクロコンピュータ６１と、赤外線信号送信部１５ａに備えられたＬＥＤ６５ａ及び赤外線信号送信部１５ｂに備えられたＬＥＤ６５ｂに通電して赤外線信号を送信する通信回路６４とを備えている。
【００３７】
そして、マイクロコンピュータ６１に送信制御用のプログラムを実行させることにより、マイクロコンピュータ６１が、グリル点火スイッチ６、第１コンロ点火スイッチ８、第２コンロ点火スイッチ１１、第３コンロ点火スイッチ１３のうちのいずれかがＯＮしているか否かを、これらのスイッチの第２の接点３０ｂ，３１ｂ，３２ｂ，３３ｂの接続ラインに生じる信号（以下、点火スイッチ信号という）ＩＧ_sigのレベルにより検知するスイッチ状態検知手段７０と、スイッチ状態検知手段６１による各スイッチの操作状態に応じて、赤外線信号を送信する送信制御手段７１として機能する。
【００３８】
ここで、グリル点火スイッチ６、第１コンロ点火スイッチ８、第２コンロ点火スイッチ１１、第３コンロ点火スイッチ１３のうちのいずれかがＯＮしているとき（開始指示位置にあるとき）は、点火スイッチ信号ＩＧ_sigのレベルがＨi（本発明の第１の電圧に相当する）となる。また、グリル点火スイッチ６、第１コンロ点火スイッチ８、第２コンロ点火スイッチ１１、及び第３コンロ点火スイッチ１３が全てＯＦＦしているとき（停止指示位置にあるとき）には、点火スイッチ信号ＩＧ_sigのレベルがＬo（本発明の第２の電圧に相当する）となる。
【００３９】
また、マイクロコンピュータ６０は、タイミングクロックの入力を停止してプログラムの実行を停止することにより消費電力を低減させる停止モードと、タイミングクロックを入力してプログラムを実行する稼動モードとを切り換える機能を有している。
【００４０】
そして、送信制御手段７１は、スイッチ状態検知手段７０による点火スイッチ信号ＩＧ_sigの立上り（Ｌo→Ｈi）及び立下り（Ｈi→Ｌo）の検知により、マイクロコンピュータ６１を停止モードから稼動モードに切り換える。また、送信制御手段７１は、スイッチ状態検知手段７０による検知状況から、グリル点火スイッチ６、第１コンロ点火スイッチ８、第２コンロ点火スイッチ１１、及び第３コンロ点火スイッチ１３がいずれも操作されない状態が所定時間（例えば５秒）継続したときに、マイクロコンピュータ６１を稼動モードから停止モードに切り換える。
【００４１】
なお、通信制御手段７１、通信回路６４、及びＬＥＤ６５ａ，６５ｂにより、本発明の送信手段が構成されている。
【００４２】
次に、図３〜図４に示したフローチャートに従って、グリル点火スイッチ６、第１コンロ点火スイッチ８、第２コンロ点火スイッチ１１、及び第３コンロ点火スイッチ１３のうちのいずれかが、停止指示位置から開始指示位置に切り換わったとき、及びこれらの点火スイッチのうちで開始指示位置にあった点火スイッチが停止指示位置に切り換わったときの換気連動基板６０の動作について説明する。
【００４３】
先ず、換気連動基板６０に電源が投入されると、図３のＳＴＥＰ１でマイクロコンピュータ６１が起動して稼動モードとなる。そして、マイクロコンピュータ６１により、プログラムが実行されて送信制御手段７１がＳＴＥＰ２以下の処理を実行する。
【００４４】
送信制御手段７１は、ＳＴＥＰ２で５秒タイマをスタートさせる。ここで、５秒という設定時間は、上述したグリル点火スイッチ６、第１コンロ点火スイッチ８、第２コンロ点火スイッチ１１、及び第３コンロ点火スイッチ１３がいずれも操作されていない状態の継続を判断して、マイクロコンピュータ６１を稼動モードから停止モードに切り換えるための時間である。
【００４５】
続くＳＴＥＰ３で、送信制御手段７１は、スイッチ状態検知手段７０により点火スイッチ信号ＩＧ_sigがＨiと検知されるか否かを判断する。そして、点火スイッチ信号ＩＧ_sigがＨiであったときはＳＴＥＰ２０に分岐し、送信制御手段７１は、所定時間間隔（例えば１０〜２０μsec）で、３回連続してスイッチ状態検知手段７０により点火スイッチ信号ＩＧ_sigがＨiであると検知されるか否かを判断する。
【００４６】
ＳＴＥＰ２０で、３回連続してスイッチ状態検知手段７０により点火スイッチ信号ＩＧ_sigがＨiであると検知されたときは、いずれかの点火スイッチが開始指示位置にあると想定される。そのため、図４のＳＴＥＰ３０に分岐し、送信制御手段７１は開始信号を送信する。該開始信号を受信した換気装置２０は換気運転を開始する。そして、送信制御手段７１は次のＳＴＥＰ３１で５秒タイマをスタートさせて、図３のＳＴＥＰ４に戻る。
【００４７】
一方、ＳＴＥＰ２０で、３回連続してスイッチ状態検知手段７０により点火スイッチ信号ＩＧ_sigがＯＮ状態であると検知されなかったときにはＳＴＥＰ２１に進み、送信制御手段７１は５秒タイマがタイムアップしているか否かを判断する。そして、５秒タイマがタイムアップしていたときには、ＳＴＥＰ２２に進んで送信フラグＳＤ_FをＯＦＦし、ＳＴＥＰ７に進む。
【００４８】
ここで、送信フラグＳＤ_Fは、直前に送信された信号が開始信号であるか停止信号であるかを示すものであり、送信フラグＳＤ_FがＯＦＦであるときは直前に送信された信号が停止信号であったことを示している。また、送信フラグＳＤ_FがＯＮであるときには直前に送信された信号が開始信号であったことを示している。なお、送信フラグＳＤ_Fのデータは本発明の送信履歴データに相当し、メモリ（図示しない、本発明のデータ保持手段に相当する）に保持される。
【００４９】
また、ＳＴＥＰ３でスイッチ状態検知手段７０により点火スイッチ信号ＩＧ_sigがＬoであると検知されたときにはＳＴＥＰ４に進み、送信制御手段７１は、所定時間間隔（例えば１０〜２０μsec）で、３回連続してスイッチ状態検知手段７０により点火スイッチ信号ＩＧ_sigがＬoであると検知されるか否かを判断する。
【００５０】
ＳＴＥＰ４で、３回連続してスイッチ状態検知手段７０により点火スイッチ信号ＩＧ_sigがＬoであると検知されたときは、全ての点火スイッチが停止指示位置にあると想定される。そのため、図４のＳＴＥＰ４０に分岐し、送信制御手段７１は停止信号を送信する。これにより、換気装置２０が換気運転を停止する。そして、送信制御手段７１は次のＳＴＥＰ４１で５秒タイマをスタートさせて、図３のＳＴＥＰ２０に戻る。
【００５１】
一方、ＳＴＥＰ４で、３回連続してスイッチ状態検知手段７０により点火スイッチ信号ＩＧ_sigがＬoであると検知されなかったときにはＳＴＥＰ５に進み、送信制御手段７１は５秒タイマがタイムアップしたか否かを判断する。そして、５秒タイマがタイムアップしていたときには、ＳＴＥＰ６に進んで送信フラグＳＤ_FをＯＮし、ＳＴＥＰ７に進む。
【００５２】
ＳＴＥＰ７で、送信制御手段７１は、マイクロコンピュータ６１を稼動モードから停止モードに切り換える。そして、次のＳＴＥＰ８で、スイッチ状態検知手段７０により点火スイッチ信号ＩＧ_sigの立上り（Ｌo→Ｈi）又は立下り（Ｈi→Ｌo）による割り込みが検知されるのを待つ。
【００５３】
点火スイッチ信号ＩＧ_sigによる割込みが検知されると、マイクロコンピュータ６１は停止モードから稼動モードに切り換わり、送信制御手段７１は図４のＳＴＥＰ９以降の処理を実行する。
【００５４】
ＳＴＥＰ９で、送信制御手段７１は、所定の時間間隔（例えば１０〜２０μsec）で、スイッチ状態検知手段７０により点火スイッチ信号ＩＧ_sigを２回読み込む。そして、送信制御手段７１は、１回目の検知結果（Ｈi又はＬo）をＪ1に保持し、２回目の検知結果をＪ2に保持する。
【００５５】
続くＳＴＥＰ１０で、送信制御手段７１は、送信フラグＳＤ_FがＯＦＦ（直前に送信された信号が停止信号）で、Ｊ1及びＪ2が共にＨiであるか否かを判断する。ここで、図５（ａ）は、直前に送信された信号が開始信号（送信フラグＳＤ_F＝ＯＦＦ）であるときに、点火スイッチ信号ＩＧ_sigの立上りがノイズにより生じた場合と、使用者による実際の点火スイッチの操作により生じた場合とを時系列的に示したものである。
【００５６】
先ず、ｔ10で点火スイッチ信号ＩＧ_sigがＬoからＨiに立上っているが、これはノイズによるものであり、短時間で点火スイッチ信号ＩＧ_sigがＬoに戻っている。一方、ｔ13でも点火スイッチ信号ＩＧ_sigがＬoからＨiに立上っているが、この場合は点火スイッチ信号ＩＧ_sigがＨiである状態が継続しており、点火スイッチの操作による可能性が高いと判断することができる。
【００５７】
そこで、点火スイッチ信号ＩＧ_sigの立上りが検知された時（ｔ10，ｔ13）から、所定周期で２回連続して点火スイッチ信号ＩＧ_sigがＨiレベルであると検知されるか否かを判断することによって、ノイズにより生じた立上りエッジと、点火スイッチの操作による立上りエッジを区別することができる。
【００５８】
すなわち、ｔ10で検知された立上りエッジについては、ｔ11での１周期目のＩＧ_sigはＨiレベルであるが、ｔ12での２周期目のＩＧ_sigはＬoレベルとなっている。そのため、この場合は、瞬間的なノイズＮ10による立上りエッジであると判断することができる。一方、ｔ13で検知された立上りエッジについては、ｔ14での１周期目のＩＧ_sig及びｔ15での２周期目のＩＧ_sigがいずれもＨiレベルとなっている。そのため、この場合は、いずれかの点火スイッチの操作によるものであると判断することができる。
【００５９】
そこで、ＳＴＥＰ１０で送信フラグＳＤ_FがＯＦＦ（直前に送信された信号が停止信号）であり、且つ２回連続してＩＧ_sigがＨi（Ｊ1＝ＯＮ且つＪ2＝ＯＮ）であることが検知されたときはＳＴＥＰ３０に分岐し、送信制御手段７１は開始信号を送信する。これにより、換気装置２０による換気運転が開始される。そして、続くＳＴＥＰ３１で、送信制御手段７１は５秒タイマをスタートさせて図３のＳＴＥＰ４に進む。
【００６０】
一方、ＳＴＥＰ１０で送信フラグＳＤ_FがＯＦＦであり、且つ２回連続して点火スイッチ信号ＩＧ_siｇがＨiであることが検知されなかったときはＳＴＥＰ１１に進み、送信制御手段７１はＳＴＥＰ３０以下の処理を実行しないため、開始信号の送信が禁止される。これにより、使用者が換気装置２０の操作部２２を操作して、換気装置２０を停止或いは換気装置２０の換気量の変更をしたときに、ノイズによる点火信号ＩＧ_sigの立上りエッジの検知によって開始信号が送信され、使用者の操作に依らずに換気装置２０の換気運転が再開されること、及び換気装置２０の換気量が変更前の換気量に戻ることを防止することができる。
【００６１】
また、ＳＴＥＰ１１で、送信制御手段７１は、送信フラグＳＤ_FがＯＮ（直前に送信された信号が開始信号）で、Ｊ1及びＪ2が共にＯＦＦであるか否かを判断する。ここで、図５（ｂ）は、直前に送信された信号が停止信号（送信フラグＳＤ_F＝ＯＮ）であるときに、点火スイッチ信号ＩＧ_sigの立下りがノイズにより生じた場合と、使用者による実際の点火スイッチの操作により生じた場合とを時系列的に示したものである。
【００６２】
先ず、ｔ20で点火スイッチ信号ＩＧ_sigがＨiからＬoに立下っているが、これはノイズによる瞬間的なものであり、短時間で点火スイッチ信号ＩＧ_sigがＨiレベルに戻っている。一方、ｔ23でも点火スイッチ信号ＩＧ_sigがＨiからＬoに立下っているが、この場合は点火スイッチ信号ＩＧ_sigがＬoである状態が継続しており、点火スイッチの操作による可能性が高いと判断することができる。
【００６３】
そこで、点火スイッチ信号ＩＧ_sigの立下りが検知された時（ｔ20，ｔ23）から、所定周期で２回連続して点火スイッチ信号ＩＧ_sigがＬoレベルであると検知されるか否かを判断することによって、ノイズにより生じた立下りエッジと、点火スイッチの操作による立下りエッジを区別することができる。
【００６４】
すなわち、ｔ20で検知された立下りエッジについては、ｔ21での１周期目のＩＧ_sigはＬoレベルであるが、ｔ22での２周期目のＩＧ_sigはＬoレベルとなっている。そのため、この場合は、瞬間的なノイズＮ11による立下りエッジであると判断することができる。一方、ｔ23で検知された立下りエッジについては、ｔ24での１周期目のＩＧ_sig及びｔ25での２周期目のＩＧ_sigがいずれもＬoレベルとなっている。そのため、この場合は、点火スイッチの操作によるものであると判断することができる。
【００６５】
そこで、ＳＴＥＰ１１で送信フラグＳＤ_FがＯＮ（直前に送信された信号が開始信号）であり、且つ２回連続して点火信号ＩＧ_sigがＬo（Ｊ1＝Ｌo且つＪ2＝Ｌo）であることが検知されたときはＳＴＥＰ４０に分岐し、送信制御手段７１は停止信号を送信する。これにより、換気装置２０による換気運転が停止される。そして、続くＳＴＥＰ４１で、送信制御手段７１は５秒タイマをスタートさせて図３のＳＴＥＰ２０に進む。
【００６６】
一方、ＳＴＥＰ１１で送信フラグＳＤ_FがＯＮであり、且つ２回連続して点火スイッチ信号ＩＧ_sigがＬoであることが検知されなかったときは図３のＳＴＥＰ７に進み、送信制御手段７１はＳＴＥＰ４０以下の処理を実行しないため、停止信号の送信が禁止される。これにより、使用者が換気装置２０の操作部２２を操作して、換気装置２０の換気運転の開始或いは換気装置２０の換気量の変更をしたときに、その後、ノイズによる点火信号ＩＧ_sigの立下りエッジの検知によって停止信号が送信され、使用者の操作に依らずに換気装置２０の換気運転が停止されることを防止することができる。
【００６７】
なお、本実施の形態においては、本発明の加熱調理装置としてガスコンロを示したが、ガスオーブン等の他の種類のガス調理装置や、石油や電気を使用する熱源により調理物を加熱する加熱調理装置に対しても本発明の適用が可能である。
【００６８】
また、本実施の形態では、本発明の加熱調理装置による操作対象として換気装置を示したが、例えば換気装置の付近に設けられた照明装置等であってもよい。加熱調理装置による操作対象が照明装置であるときは、加熱調理装置からの開始信号により照明装置が点灯し、加熱調理装置からの停止信号により照明装置が消灯する。また、照明装置に備えられたスイッチ（本発明の開始スイッチ及び停止スイッチに相当する）を使用者が操作することにより、照明装置の点灯と消灯とが切り換えられる。
【００６９】
また、本実施の形態では、図２に示したように、グリル点火スイッチ６の第２の接点３０ｂ、第１コンロ点火スイッチ８の第２の接点３１ｂ、第２コンロ点火スイッチ１１の第２の接点３２ｂ、第３コンロ点火スイッチ１３の第２の接点３３ｂの一端を相互に接続して換気連動基板６０に接続したが、これらの接点を個別に換気連動基板に接続してもよい。
【００７０】
そして、複数段階の換気量を予め設定し、送信信号に該複数段階のうちのいずれかの換気量を指定するデータを含めるようにして、点火操作がなされた点火スイッチ（グリル点火スイッチ６、第１コンロ点火スイッチ８、第２コンロ点火スイッチ１１、第３コンロ点火スイッチ１３のうちのいずれか）に応じて、該複数段階のいずれかの換気量を指定する開始信号を送信し、換気装置が該開始信号により指定された換気量で換気運転を開始するようにしてもよい。
【００７１】
この場合、換気装置が換気運転を開始した後、使用者が換気装置に備えられたスイッチを操作して換気装置の換気量を変更したときに、その後にノイズにより開始信号が送信されて、該開始信号を受信した換気装置により換気運転開始時の換気量に戻されることを防止することができる。
【００７２】
また、本実施の形態では、図４のＳＴＥＰ１０で２回連続して点火スイッチ信号ＩＧ_sigがＨiであることを判断し、図４のＳＴＥＰ１１で２回連続して点火スイッチ信号ＩＧ_siｇがＬoであることを判断したが、点火スイッチ信号ＩＧの検知状態を判断する回数は２回に限られず、１回或いは３回以上としてもよい。
【００７３】
また、本実施の形態では、図３のＳＴＥＰ１０の判断により、直前に送信された信号が停止信号であるときのノイズによる点火スイッチ信号ＩＧ_sigの立上りエッジの誤検知を防止し、ＳＴＥＰ１１の判断により、直前に送信された信号が開始信号であるときのノイズによる点火スイッチ信号ＩＧ_sigの立下りエッジの誤検知を防止したが、いずれか一方の判断のみを行う場合にも、本発明の効果を得ることができる。
【図面の簡単な説明】
【００７４】
【図１】本発明の加熱調理装置であるガスコンロと該ガスコンロにより作動が制御される換気装置の外観図。
【図２】図１に示したガスコンロの換気連動基板及びその周辺部の構成図。
【図３】点火スイッチの状態検知及び赤外線信号送信処理のフローチャート。
【図４】点火スイッチの状態検知及び赤外線信号送信処理のフローチャート。
【図５】点火スイッチの状態を検知するタイミングの説明図。
【符号の説明】
【００７５】
１…ガスコンロ、２…第１コンロ、３…第２コンロ、４…第３コンロ、５…グリル、６…グリル点火スイッチ、８…第１コンロ点火スイッチ、１０…操作パネル、１１…第２コンロ点火スイッチ、１３…第３コンロ点火スイッチ、１５ａ,１５ｂ…赤外線信号送信部、２０…換気装置、２１…ファン、２５…赤外線信号受信部、６０…換気連動基板、６１…マイクロコンピュータ、６４…通信回路、６５ａ，６５ｂ…ＬＥＤ、７０…スイッチ状態検知手段、７１…送信制御手段
【図１】
2008209054.tif 000003
【図２】
2008209054.tif 000004
【図３】
2008209054.tif 000005
【図４】
2008209054.tif 000006
【図５】
2008209054.tif 000007